(57)【要約】【課題】長期間に渡る患者の体温測定値をグラフ表示すると共に、患者の体温に何らかの異常が発生した場合には、その事実を迅速に報知する。【解決手段】電池を電源とする体温センサ部１で測定された患者等の体温データは、接続ケーブル３を介して表示装置２に伝達され、表示装置２において、その測定値がグラフ表示される。また、この体温データに異常が発生したことを、表示装置２において検出し、表示装置２においてアラーム音を鳴らすか、または携帯電話や携帯端末装置にアラーム信号を送信するようにする。【選択図】図１
2006345972.tif 000002
【特許請求の範囲】
【請求項１】
被験者の体温を長期に渡って監視するためのモニター体温計であって、
電池を電源として作動し、被験者の体温の測定結果である体温データを外部に送出する手段を備えた前記被験者の身体に装着可能な体温センサ手段と、
伝達された体温データを入力して予め設定された種類のグラフにして表示する表示手段と、
前記表示手段が表示するグラフの種類を予め設定する設定手段と、
前記体温センサ手段と前記表示手段とをケーブル接続して、前記体温データを前記体温センサ手段から前記表示手段に伝達する接続手段と、
を備えたことを特徴とするモニター体温計装置。
【請求項２】
前記体温センサ手段は、サーミスタ又は熱電対により構成されることを特徴とする請求項１に記載のモニター体温計装置。
【請求項３】
前記表示手段は、前記監視した体温データに、前記設定手段により予め設定された種類の異常が検知された時に、前記異常の種類に対応して前記設定手段により予め設定されたアラーム音を発生させることを特徴とする請求項１または２に記載のモニター体温計装置。
【請求項４】
前記設定手段で設定される前記体温データの異常の種類は、前記体温データが予め設定された値域から外れること、及び前記体温データの変化率が予め設定された値域から外れることであることを特徴とする請求項１乃至３の何れか１項に記載のモニター体温計装置。
【請求項５】
前記体温センサ手段は、前記設定手段により予め設定された時間間隔で前記被験者の体温を測定するように構成されているか、若しくは前記表示手段が、前記設定手段により予め設定された時間間隔で前記伝達された体温データを入力するように構成されていることを特徴とする請求項１乃至４の何れか１項に記載のモニター体温計装置。
【請求項６】
前記設定手段により予め設定され、前記表示手段が表示するグラフの種類には、少なくとも、リアル表示のグラフ、移動平均表示のグラフ、または予測表示のグラフの何れか１つが含まれることを特徴とする請求項１乃至５の何れか１項に記載のモニター体温計装置。
【請求項７】
前記表示手段が発生させる前記アラーム音の種類には、少なくとも、警告音、チャイム、音楽のメロディの何れか１つが含まれることを特徴とする請求項１乃至６の何れか１項に記載のモニター体温計装置。
【請求項８】
前記表示手段は、前記体温センサ手段の電源である前記電池の残量を表示する手段を、さらに備えたことを特徴とする請求項１乃至７の何れか１項に記載のモニター体温計装置。
【請求項９】
前記接続手段は、ＵＳＢ規格に対応したものであることを特徴とする請求項１乃至８の何れか１項に記載のモニター体温計装置。
【請求項１０】
前記体温センサ手段は、測定して得られた体温データを記憶する記憶媒体を備えていることを特徴とする請求項１乃至９の何れか１項に記載のモニター体温計装置。
【発明の詳細な説明】
【技術分野】
【０００１】
本発明は、被験者の体温を所定期間記録可能なモニター体温計に係り、特に、体温を長期間に渡って測定し、グラフ表示することができるモニター体温計装置に関する。
【背景技術】
【０００２】
従来、体温計としては、水銀の加熱による体積膨張を利用した水銀体温計が広く普及している。このような従来の体温計では、患者の容体（体温）をできるだけ早く知るために、測定時間を短縮する工夫がなされている。
【０００３】
また、近年は、サーミスタを利用した電子体温計も開発されており、「１分計」として知られている製品も提供されている。
【発明の開示】
【発明が解決しようとする課題】
【０００４】
しかしながら、前述のとおり、従来の体温計は、被験者（患者等）の容態を素早く把握することを性能指標にしているので、体温を長期間に渡ってモニタリングする機能は備えておらず、このため、例えば、高熱性の疾患に羅漢した患者の治療や介護には使用できないという問題点があった。
【０００５】
即ち、体温計に要求されている機能として、患者の体温を短時間で測定できる機能と共に、体温を長期間に渡ってモニタリングする機能も必要である。
【０００６】
また、このため、患者をモニタリングすることによって得られた体温データは、測定実施者、即ち、医療機関の関係者（医者、看護婦等）や家庭内の介護者によって容易に視認できるように、外部の表示装置上でグラフ表示されることが望ましい。
【０００７】
一方、測定実施者が長期間に渡って体温グラフを凝視し続けることは、測定実施者に労力的な負担が掛かり過ぎるので、前述の課題（即ち、測定体温のグラフ表示が可能な表示装置を設置すること）を達成するだけでは不十分であり、体温の測定期間において、患者の体温に何らかの異常が発生した時には、この事実を音声等で迅速に測定実施者に報知するアラーム機能を設けることも欠かせない課題となる。
【０００８】
このため、本発明は、長期間に渡る患者の体温測定と、その測定値のグラフ表示を可能にするモニター体温計装置の提供を目的とするものである。また、本発明の他の目的は、患者の体温に何らかの異常が発生した場合には、その事実を迅速に報知することができるアラーム機能を付与したモニター体温計装置を提供することにある。また、本発明の他の目的は、患者が長期間に渡って装着し易いモニター体温計装置を提供することにある。
【課題を解決するための手段】
【０００９】
本発明は、上記した従来の体温計、及びモニター体温計の課題に鑑みてなされたものであり、患者等（被験者）の体温を長期に渡って監視するためのモニター体温計であって、電池を電源として作動し、被験者の体温の測定結果である体温データを外部に送出する手段を備えた前記被験者の身体に装着可能な体温センサ手段と、伝達された体温データを入力して予め設定された種類のグラフにして表示する表示手段と、前記表示手段が表示するグラフの種類を予め設定する設定手段と、前記体温センサ手段と前記表示手段とをケーブル接続して、前記体温データを前記体温センサ手段から前記表示手段に伝達する接続手段と、を備えたことを特徴とするモニター体温計装置（以下、「モニター体温計」という）を提供するものである。
【００１０】
このように構成することにより、体温センサ手段によって測定された体温データは、ケーブル（例えば、ＵＳＢ規格対応の接続ケーブル）を介して外部に取り出すことができるので、無線を使用する場合に比べて、体温センサ手段が使用する電源電池の消耗速度を減ずることが可能となり、これにより、長期間に渡るモニターが可能となる。
【００１１】
また、前記モニター体温計において、前記体温センサ手段は、サーミスタを有することを特徴とする。このように構成することにより、体温センサ手段を小型に構成することができる。また、信号出力を大きくすることが可能となり、実用上に必要な２／１００００〔℃〕程度の微小温度の検出も可能となる。また、素子の電気抵抗が大きいので、リード線抵抗などによる誤差は無視できる程度にすることができる。また、温度補償のための導線は不要であり、基準温度の設定も不要となる。さらに、サーミスタは抵抗素子であるので、電子回路と組み合わせ易くなり、応用範囲を広くすることができる。
【００１２】
一方、体温センサ手段として熱電対を使用した場合には、温度変化へのレスポンスが極めて良好なモニタ装置を実現することが可能である。
【００１３】
また、前記モニター体温計において、前記表示手段は、前記監視した体温データに、前記設定手段により予め設定された種類の異常が検知された時に、前記異常の種類に対応して前記設定手段により予め設定されたアラーム音を発生させることを特徴とする。また、携帯電話や携帯端末装置にアラーム信号を送信するようにしてもよい。
【００１４】
このように構成することにより、患者の容体を、アラーム音を介して迅速かつ的確に知ることが可能となる。また、体温センサ手段が患者の身体から外れた場合を素早く検知することも可能となる。
【００１５】
また、前記モニター体温計において、前記設定手段で設定される前記体温データの異常の種類は、前記体温データが予め設定された値域から外れること、及び前記体温データの変化率が予め設定された値域から外れることであることを特徴とする。このように構成することにより、患者の容体や、容体の変化を迅速かつ的確に検知することが可能となる。また、体温センサ手段が患者の身体から外れた場合を検知することが可能となる。
【００１６】
また、前記モニター体温計において、前記体温センサ手段は、前記設定手段により予め設定された時間間隔で前記被験者の体温を測定するように構成されているか、若しくは前記表示手段が、前記設定手段により予め設定された時間間隔で前記伝達された体温データを入力するように構成されていることを特徴とする。
【００１７】
このように構成することにより、モニター期間に対応した体温の測定と体温データの表示を行うことが可能となる。また、体温センサ手段の電源電池の不用な消耗を抑制することができる。
【００１８】
また、前記モニター体温計において、前記設定手段により予め設定され、前記表示手段が表示するグラフの種類には、少なくとも、リアル表示のグラフ、移動平均表示のグラフ、または予測表示のグラフの何れか１つが含まれることを特徴とする。このように構成することにより、患者の症状に対応させてグラフの種類を変え、このグラフで表示される体温データから患者の状態を汲み取って確認することが可能となる。
【００１９】
また、前記モニター体温計において、前記表示手段が発生させる前記アラーム音の種類には、少なくとも、警告音、チャイム、音楽のメロディの何れか１つが含まれることを特徴とする。このように構成することにより、アラーム音を的確に聞き分けて、患者の容体や、容体の変化を間違いなく知ることができる。
【００２０】
また、前記モニター体温計において、前記表示手段は、前記体温センサ手段の電源である前記電池の残量を表示する手段を、さらに備えたことを特徴とする。また、電池の残量が所定レベル以下になった場合には、警告音を出すようにすることも可能である。このように構成することにより、長期に渡る測定期間の大部分で、電池切れにより体温データが欠落してしまう類の失敗を事前に防止することができる。
【００２１】
また、前記モニター体温計において、前記接続手段は、ＵＳＢ規格に対応したものであることを特徴とする。このように構成することにより、体温センサ手段からシリアルデータを簡単に取り出すことが可能となり、また、このシリアルデータを、ＵＳＢ規格に対応した多くの端末装置で利用することができる。尚、接続手段は、ＵＳＢ規格に限定されるものではなく、パーソナルコンピュータやサーバ等の他のインターフェース規格であっても良い。さらに、前記モニター体温計において、前記体温センサ手段は、測定して得られた体温データを記憶する記憶媒体を備えていることを特徴とする。このように構成することにより、記憶媒体に記録されている体温測定データを、測定完了後に一括して読み出して参照することができる。また、表示手段を稼動させることなく、後で結果の体温測定データだけを参照することができる。
【発明の効果】
【００２２】
本発明によれば、体温センサ部で得られた体温データを接続ケーブルで取り出すので、無線使用の場合に比べて体温センサ部の電源電池の消耗を少なくすることが可能となり、長期間に渡り、患者の体温測定を行うことと、その測定値のグラフを表示することが可能となる。また、体温データの採取に周期を設け、体温データを体温センサ部から周期的に取り出すように構成することが可能であるので、このように構成した場合は、やはり、体温センサ部の電源電池の消耗が抑制されて、長期間に渡る患者の体温測定と、その測定値のグラフ表示が可能である。
【００２３】
また、アラーム機能が付与されているので、患者の体温に何らかの異常が発生した場合や、患者が体温センサ部を身体から脱落させた場合に、その事実を迅速に知ることができる。また、体温センサ部の体温センサとＵＳＢコネクタとの距離を大きくすることができるので、接続ケーブルの存在が患者等の邪魔にならず、よって、患者等が、本装置を長期間に渡って、脇の下に装着することができるモニター体温計を提供することができる。さらに、記憶媒体に記録されている体温測定データを、測定完了後に一括して読み出して参照することができる。また、表示手段を稼動させることなく、後で結果だけを参照することができる。
【発明を実施するための最良の形態】
【００２４】
以下、図面を参照して、本発明の実施の形態について詳細に説明する。
【００２５】
図１は、本発明の実施形態に係るモニター体温計の全体構成を示す構成図である。図１に示すように、本実施形態に係るモニター体温計は、患者等の体温を測定する体温センサ部１と、体温センサ部１で得られた体温の測定値をグラフ表示する表示装置２と、体温センサ部１で得られた体温測定データを表示装置２に伝達するための接続ケーブル３、とから構成される。
【００２６】
体温センサ部１の体温センサは、サーミスタ又は熱電対で構成することが好ましい。また、体温センサ部１は、測定した体温を時系列データとして記録するメモリ（半導体メモリ）と、該メモリの記憶内容を読み取るメモリ回路（半導体回路）を備えることができる。なお、このメモリ回路を、単なるバッファ回路として構成することも可能である。また、このメモリ回路が読み取るメモリ（記憶媒体）は、着脱可能に構成することが可能であり、さらに、このメモリを、ＵＳＢ規格対応とすることができる。
【００２７】
体温センサ部１は、前記メモリ回路を備えない構成の場合であっても、少なくとも体温データを送出するための送出回路を備えるものとする。さらに、接続ケーブル３がＵＳＢ（ユニバーサル・シリアル・バス）規格対応の場合は、接続ケーブル３の一端を接続するためのＵＳＢ規格対応のコネクタ（雌型）を備えることが可能である。
【００２８】
表示装置２は、携帯型であることが好ましいが、据え置き型も可能である。また、接続ケーブル３がＵＳＢ規格対応の場合は、接続ケーブル３の他端を接続するためのＵＳＢ規格対応のコネクタ（雌型）を備えることが可能である。
【００２９】
接続ケーブル３は、例えば、ＵＳＢ規格対応のコネクタ（雄型）を備えたＵＳＢ規格対応のケーブルとして構成することが可能である。
【００３０】
体温センサ部１で測定された患者等の体温データは、接続ケーブル３を介して表示装置２に伝達され、表示装置２において、その測定値がグラフ表示される。
【００３１】
また、この体温データに異常が発生した場合は、この異常を表示装置２が検知し、表示装置２においてアラーム音を鳴らす。
【００３２】
表示装置２が表示するグラフは、折れ線グラフとすることが可能である。また、体温センサ部１で測定された患者等の体温データは、体温センサ部１がメモリ回路を備える場合は、当該メモリ回路によって時系列データとして記録される。このメモリ回路は患者等の体温データを時系列データとして記録する書き込み回路を備えると共に、時系列データとして読み出す読み出し回路を備える。
【００３３】
よって、このメモリ回路に記録された体温データは、現在までの測定分を、一括して表示装置２に送出することができる。このメモリ回路が単なるバッファ回路として構成されている場合は、体温センサ部１で測定された患者等の体温データは、このバッファ回路を経由して表示装置２に送出される。なお、体温センサ部１、及び表示装置２の構成と、詳細機能については後述する（体温センサ部１は図２参照、表示装置は図３、４参照）。
【００３４】
図２は、本発明の実施形態に係るモニター体温計の体温センサ部の１構成例を示す斜視図であり、図２（ａ）は基本構造、図２（ｂ）は脇の下装着用の構造を、それぞれ示す。
【００３５】
図２（ａ）に例示する体温センサ部１Ａは、本体１０Ａと、患者等の体温を測定する体温センサ１１と、ＵＳＢ接続ケーブル３の接続が可能なＵＳＢコネクタ１２と、を備える。なお、この他に、図示されないメモリ回路を備えることができる。ＵＳＢコネクタ１２は、ＵＳＢ規格対応のコネクタである。
【００３６】
体温センサ１１は、サーミスタで構成されており、ほぼ全体が、本体１０Ａの中央部に埋め込まれているが、少なくともその両端表面（患者等の肌に接する部分）には、例えば、アルミ等の熱伝導度の良い金属が固着されており、この金属部分は、本体１０Ａの表面に露出している。
【００３７】
図２（ｂ）に例示する体温センサ部１Ｂは、本体１０Ｂと、患者等の体温を測定する体温センサ１１と、ＵＳＢ接続ケーブル３Ａの接続が可能なＵＳＢコネクタ１２と、を備える。なお、この他に、前述の図示されないメモリ回路を備えることができる。図２（ｂ）に示す構成例では、体温センサ１１は、ほぼ全体が、本体１０Ｂにおいて、ＵＳＢコネクタ１２の設置箇所から離れた位置に埋め込まれている。これは、図２（ｂ）に例示する体温センサ部１Ｂが脇の下装着用であり、患者等の脇の下に装着した場合に、体温センサ１１が該患者等の脇の下の奥深くに位置するようにするためと、ＵＳＢ接続ケーブル３Ａがなるべく患者の邪魔をしないように配慮しているためである。
【００３８】
体温センサ部１Ｂを脇の下や胸部等に装着する場合、その人体との接触面には、女性用の下着等（ブラジャー）に利用されている接触面にシリコンが塗布されたエアホールを施すことにより、そのフィット感と装着性を向上させることが可能である。
【００３９】
図３は、本発明の実施形態に係るモニター体温計の表示装置の主要部分の１構造例を示す外観図であり、図３（ａ）は表示画面／設定ボード兼用型、図３（ｂ）は表示画面／設定ボード分離型の構造を、それぞれ示す。
【００４０】
図３（ａ）に例示するモニター体温計の表示装置２Ａは、体温センサ部１から送出される患者等の体温をグラフ表示するための表示画面２１Ａと、表示画面２１Ａと、設定用の各種ボタンを収納したパネル２２と、を備える。
【００４１】
パネル２２Ａ上には、表示画面２１Ａの他、本装置の電源をＯＮ／ＯＦＦするための電源ボタン２２ａと、表示画面２１Ａに表示するグラフを実グラフにするためのリアル表示ボタン２２ｂと、表示画面２１Ａに表示するグラフを移動平均値グラフにするための移動平均表示ボタン２２ｃと、表示画面２１Ａに表示するグラフを微分動作等の予測表示グラフにするための予測表示ボタン２２ｄと、体温の測定周期を設定するための測定周期設定ボタン２２ｅと、アラームを通報すべき体温値を設定するための警戒体温設定ボタン２２ｆと、アラームを通報すべき体温変化率を設定するための警戒体温変化率設定ボタン２２ｇと、アラーム音を選択するアラーム音設定ボタン２２ｈと、測定を開始するタイミング（グラフの時間軸の原点）を通知するための開始ボタンｉと、体温センサ部１１の電源として使用される電池の残量を表示するための電池残量表示部２２ｊと、を備える。
【００４２】
パネル２２は、表面全体を他の筐体（図示は省略）で覆って保護することができる。また、前記筐体をガラス等の透明素材を用いて構成することができる。
【００４３】
図３（ａ）に例示するモニター体温計の表示装置２Ａは、体温センサ部１から送出される患者等の体温をグラフ表示するための表示画面２１Ｂと、表示画面２１Ｂを収納した表示パネル２３と、設定用の各種ボタンを収納した設定ボード２４と、表示パネル２３と設定ボード２４とを互いに回転可能に係合する係合部２５と、を備える。
【００４４】
表示パネル２３と設定ボード２４とは、本装置が携帯される時には閉じているが、使用される時には任意の角度で開かれる。
【００４５】
ユーザは、まず、接続ケーブル３を、体温センサ部１と本装置に接続した後、体温センサ部１を患者の身体に装着し（脇の下等に挟み）、電源ボタン２２ａを押下して本装置の電源を入れて本装置を使用可能にする。体温センサ部１の電池残量は、電池残量表示部２２ｊに表示されるので、表示された残量が測定期間中で不足する可能性があれば、体温センサ部１の電池を取り替える。
【００４６】
次に、ユーザは、表示画面２１Ａに表示するグラフを実グラフにしたい場合にはリアル表示ボタン２２ｂ、移動平均値グラフにしたい場合は移動平均表示ボタン２２ｃ、微分動作等の予測表示グラフにしたい場合は予測表示ボタン２２ｄを、それぞれ押下する。どのようなグラフが設定されたかは前記表示画面に表示される。
【００４７】
次に、ユーザは、測定周期設定ボタン２２ｅを押下して、体温の測定周期（インターバル）を設定する。この測定周期設定ボタン２２ｅは、ユーザが押下する度に前記設定される体温の測定周期を、所定の複数の測定値の何れかに１つにサイクリックに変化させることができる。この所定の複数の測定値は、例えば、１〔分〕、１０〔分〕、３０〔分〕、６０〔分〕、１０〔分〕等とすることができる。どのような測定周期が設定されたかは前記表示画面に表示される。
【００４８】
なお、この設定された測定周期は、体温センサ部１に送出して実際にこの周期で測定させるように構成してもよいし、表示装置２における体温データの単なる採取間隔としてもよい。
【００４９】
次に、ユーザは、警戒体温設定ボタン２２ｆを押下して、アラームを通報すべき体温値を設定する。この警戒体温設定ボタン２２ｆは、ユーザが押下する度に前記設定される体温値を、基準体温に所定の刻みを加算させる形でサイクリックに変化させることができる。この所定の刻みにより基準体温に加算される設定体温値は、例えば、＋１〔℃〕、＋２〔℃〕、…、＋１０〔℃〕、−１〔℃〕、−２〔℃〕、…、−１０〔℃〕、＋１〔℃〕等とすることができる。どのような体温値が設定されたかは前記表示画面に表示される。
【００５０】
この直後に、ユーザは、アラーム音設定ボタン２２ｈを押下して、体温値が前記設定値に達した場合に発せられるアラーム音の種類を選択することができる。この設定アラーム音は、アラーム音設定ボタン２２ｈを押下する度に、例えば、警告音、チャイム、メロディと変化させることができる。どのようなアラーム音が設定されたかは前記表示画面に表示される。なお、この体温値異常によるアラーム機能により、体温センサ部１が患者等の身体から脱落する場合を検知することも可能となる。
【００５１】
次に、ユーザは、アラームを通報すべき体温変化率を設定するための警戒体温変化率設定ボタン２２ｇを押下して、アラームを通報すべき体温の変化率を設定する。この警戒体温変化率設定ボタン２２ｇは、ユーザが押下する度に前記設定される体温変化率を、所定の刻みでサイクリックに変化させることができる。この所定の刻みにより変化する設定体温変化率は、例えば、＋１〔％〕、＋２〔％〕、…、＋１０〔％〕、−１〔％〕、−２〔％〕、…、−１０〔％〕、＋１〔％〕等とすることができる。どのような体温値が設定されたかは前記表示画面に表示される。
【００５２】
この直後に、ユーザは、アラーム音設定ボタン２２ｈを押下して、体温の変化率が前記設定値に達した場合に発せられるアラーム音の種類を選択することができる。この設定アラーム音は、アラーム音設定ボタン２２ｈを押下する度に、例えば、警告音、チャイム、メロディと変化させることができる。どのようなアラーム音が設定されたかは前記表示画面に表示される。なお、この体温変化率の異常によるアラーム機能により、体温センサ部１が患者等の身体から脱落する場合を検知することも可能となる。
【００５３】
以上の設定が完了すると、ユーザは、開始ボタン２２ｉを押下して体温測定データの表示を開始する。これにより、前記表示画面には前記各設定に基づく体温測定データのグラフが表示される。尚、ここでは、表示画面２１Ａ、２１Ｂに、実グラフが表示されている。
【００５４】
図４は、本発明の実施形態に係るモニター体温計の表示装置の１例としての主要部の構成を示す構成図である。同図に例示するモニター体温計の表示装置は、全体を制御する制御部２２１と、制御プログラム等を記憶する記憶部２２２と、患者等の体温をグラフ表示する表示部２２３と、各種設定を行う設定部２２４と、表示されたグラフを印刷する印刷部２２５と、接続ケーブル１を介して体温センサ部と通信接続する接続部２２６と、ＵＳＢコネクタ（雌型）２２７と、を備える。
【００５５】
なお、この他に、図示は省略しているが、アラーム制御部やアラーム発生器、電池残量表示部等を備える。また、印刷部２２５は、オプショナルな構成要素であり、省略可能である。
【００５６】
制御部２２１は、ＣＰＵ（中央処理装置）等で構成することができる。
記憶部２２２は、ＲＡＭやＲＯＭ、若しくはフラッシュメモリ等の半導体メモリ、ＦＤ（フレキシブルディスク）が装着されるＦＤドライブ、ＨＤ（ハード・ディスク）が装着されるＨＤドライブ、ＭＯ（光磁気）ディスクが装着されるＭＯディスクドライブ、若しくはＣＤ（コンパクト・ディスク）−ＲＯＭ、ＣＤ−Ｒ（Recordable）、ＣＤ−ＲＷ（Rewritable）やＤＶＤ（Digital Versatile Disk）−ＲＯＭ、ＤＶＤ−Ｒ、ＤＶＤ−ＲＷ等が装着されるＣＤ／ＤＶＤドライブ等で構成することができるが、着脱可能なＵＳＢメモリとすることが好ましい。
【００５７】
表示部２２３は、ＣＲＴディスプレイ、液晶ディスプレイ（ＬＣＤ；Liquid Crystal Display）、エレクトロルミネセンス（ＥＬ：Electro Luminescence）ディスプレイ、あるいはプラズマディスプレイパネル（ＰＤＰ；Plasma
Display Panel）等で構成することができる。
【００５８】
設定部２２４は、前述の押しボタン（図３）の他、文字キー、エンターキー、あるいはファンクションキー等からなるキーボードや、マウス、タッチパッド等で構成することができる。また、ペンデバイス等のポインティングデバイスを有することも可能である。
【００５９】
印刷部２２５は、インクジェットプリンタやレーザプリンタ等からなる。
接続部２２６は、ＵＳＢ規格対応のインターフェースを備える。
ＵＳＢコネクタ２２７は、ＵＳＢ規格対応のコネクタであり、ＵＳＢケーブル３に接続可能であると共に、接続部２２６と接続されている。
【００６０】
制御部２２１は、記憶部２２２に記憶されている制御プログラムに基づいて、体温センサ部１から出力される体温データを接続部２２６を介して読み込む。また、設定部２２４から前述の各種設定を取り込み、この各設定を、前記制御プログラムの制御用パラメータとして設定する。その後、このパラメータが設定された制御プログラムによって、接続部２２６（測定周期等を管轄）、アラーム出力部（アラーム音の種類等を管轄）、及び電池残量表示部等を制御すると共に、前記体温データからグラフ表示データを作成し、表示部２２３（表示画面の制御を管轄）に送出する。
【００６１】
記憶部２２２は、前記制御プログラムを記憶すると共に、接続部２２６を介して送出されてきた前記体温データや前記グラフ表示データを記憶する。この記憶内容は、記憶部２２２を構成するＵＳＢメモリを本装置から取り外して他の外部システムに装填することにより、前記外部システムで読み出せるように構成することが好ましい。また、記憶部２２２は、体温センサ部１が備えるメモリに記録されている体温データを図示しない読取部を介して読取り、記憶することができる。表示部２２３は、前記グラフ表示データを前記表示画面に表示する。設定部２２４は、ユーザによる前述の各設定を、制御部２２１に送出する。印刷部２２５は、オプショナルであるが、設置される場合は、表示部２２３が表示するグラフと同じグラフを印刷する。また、このグラフに前記の各設定を併せて表示する。
【００６２】
接続部２２６は、ＵＳＢコネクタ２２７及び接続ケーブル３を介して、体温センサ部３と接続されており、体温センサ部３が出力する体温データを、予め設定された測定周期で取り込むことができる。ＵＳＢコネクタ２２７は、前述のとおり、ＵＳＢ規格対応の接続ケーブル３と接続されており、体温センサ部１から送出される体温データを接続部２２６に入力する。
【００６３】
この実施形態によれば、体温センサ部１における電池の消耗が、無線使用の場合よりも少なくなるので、長期間に渡る患者の体温測定と、その測定値のグラフ表示が可能となる効果がある。
【００６４】
また、体温データの採取に周期を設け、体温データを体温センサ部から周期的に取り出すように構成することを可能にしたので、このように構成することにより、やはり、体温センサ部の電源電池の消耗が抑制され、長期間に渡る患者の体温測定と、その測定値のグラフ表示を可能にする効果がある。
【００６５】
また、患者の体温に何らかの異常が発生した場合や、患者が体温センサを身体から脱落させた場合に、その事実を迅速に報知することができるアラーム機能を付与することができる効果がある。また、体温センサ部１を図２（ｂ）のように構成すれば、患者等が、本装置を長期間に渡って、脇の下に装着することができる効果がある。さらに、記憶媒体に記録されている体温測定データを、測定完了後に一括して読み出して参照することができる。また、表示装置２を稼動させることなく、後で結果の体温測定データだけを参照することができる。
【産業上の利用可能性】
【００６６】
本発明は、被験者の体温を所定期間記録可能なモニター体温計装置に関するものであり、産業上の利用可能性を有する。
【図面の簡単な説明】
【００６７】
【図１】本発明の実施形態に係るモニター体温計の全体構成を示す構成図である。
【図２】本発明の実施形態に係るモニター体温計の体温センサ部の１構成例を示す斜視図であり、（ａ）は基本構造、（ｂ）は脇の下装着用の構造を、それぞれ示す。
【図３】本発明の実施形態に係るモニター体温計の表示装置の主要部分の１構造例を示す外観図であり、（ａ）は表示画面／設定ボード兼用型、（ｂ）は表示画面／設定ボード分離型の構造を、それぞれ示す。
【図４】本発明の実施形態に係るモニター体温計の表示装置の１例としての主要部の構成を示す構成図である。
【符号の説明】
【００６８】
１、１Ａ、１Ｂ：体温センサ部
２：表示装置
３：接続ケーブル
１０Ａ、１０Ｂ：本体（体温センサ部本体）
１１：体温センサ
１２：ＵＳＢコネクタ（体温センサ部側）
２１Ａ、２１Ｂ：表示画面
２３：表示パネル
２４：設定ボード
２５：係合部
２２ａ：電源部
２２ｂ：リアル表示ボタン（実データ表示ボタン）
２２ｃ：移動平均表示ボタン
２２ｄ：予測表示ボタン
２２ｅ：測定周期設定ボタン
２２ｆ：警戒体温設定ボタン
２２ｇ：警戒体温変化率設定ボタン
２２ｈ：アラーム音設定ボタン
２２ｉ：開始ボタン
２２ｊ：電池残量表示部
２２７：ＵＳＢコネクタ（表示装置側）
【図１】
2006345972.tif 000003
【図２】
2006345972.tif 000004
【図３】
2006345972.tif 000005
【図４】
2006345972.tif 000006